(57)【特許請求の範囲】
【請求項１】
第一ステータ部品（１１）と、
該第一ステータ部品に組付けられる第二ステータ部品（１２）と、
前記第一ステータ部品と前記第二ステータ部品との間に挟まれる環状シール部材（２１）とを具備し、
該環状シール部材には半径方向外側に延びる複数の突起（２５）が備えられており、
前記第一ステータ部品および前記第二ステータ部品のうちの一方のみにおいて、前記環状シール部材に対応した溝部（１８）と、前記環状シール部材の前記複数の突起に対応した形状を有していて前記一方のステータ部品の半径方向外側において前記溝部に接続すると共に前記溝部の底部よりも深さ方向に延びる複数の凹部（１７）とが形成されており、
前記複数の突起のそれぞれは、前記一方のステータ部品の半径方向外側に延びる部分と、該半径方向外側に延びる部分の一側のみにおいて該半径方向外側に延びる部分の一側から前記複数の凹部のそれぞれの深さ方向に延びる部分とを含んでいる、ステータ。
【請求項２】
前記複数の凹部のそれぞれの寸法は前記環状シール部材の前記複数の突起のそれぞれの寸法よりも小さいようにした請求項１に記載のステータ。
【請求項３】
前記突起と前記環状シール部材との間の距離は、前記凹部と前記環状溝部との間の距離よりも短いようにした、請求項１または２に記載のステータ。
【請求項４】
隣接する二つの凹部に対応する前記溝部の長さと、隣接する二つの突起の間の前記環状シール部材の長さとが互いに異なるようにした請求項１から３のいずれか一項に記載のステータ。
【請求項５】
前記環状シール部材は、前記第一ステータ部品と前記第二ステータ部品との間で押潰されると共に前記溝部の二つの壁部の間で位置決めされるようにした、請求項１から４のいずれか一項に記載のステータ。
【請求項６】
請求項１から５のいずれか一項に記載のステータと、該ステータに係合するロータ（３０）とを備えたモータ（１）。
【発明の詳細な説明】
【技術分野】
【０００１】
本発明は、シール部材を備えたステータおよびそのようなステータを含むモータに関する。
【背景技術】
【０００２】
従来技術における全閉型モータはロータとステータとを備えている。防水性を確保するために、そのような全閉型モータのステータは一つまたは複数のシール部材を有している。図１１は、特許文献１に開示されるような従来技術におけるステータの分解斜視図である。図１１に示されるように、ステータ１００は第一ステータ部品１１０、第二ステータ部品１２０および第一ステータ部品１１０と第二ステータ部品１２０との間に挟まれる第一シール部材２１０、例えばＯリング、パッキン等を有している。また、ステータ１００の一端には、他の第二シール部材２２０を介して検出器１５０が取付けられている。
【先行技術文献】
【特許文献】
【０００３】
【特許文献１】特開平06-178472号公報
【発明の概要】
【発明が解決しようとする課題】
【０００４】
図１２Ａ〜図１２Ｃは従来技術におけるステータの部分拡大断面図である。図１２Ａにおいては、ステータの第二ステータ部品１２０の下端に形成された環状溝部１９０に第二シール部材２２０が挿入される。しかしながら、第二シール部材２２０が単に環状溝部１９０に挿入されるだけでは、検出器１５０を取付ける前に第二シール部材２２０が脱落する可能性がある。
【０００５】
さらに、図１２Ｂにおいては、ステータの第二ステータ部品１２０の上端に形成された環状溝部１８０に第一シール部材２１０が挿入される。図１２Ｂに示されるように、環状溝部１８０の底部には接着剤１７０が予め塗布されている。しかしながら、接着剤１７０の量が多い場合には、第一シール部材２１０を挿入すると、接着剤１７０が環状溝部１８０からはみ出て、接着剤１７０を拭取る必要がある。
【０００６】
また、図１２Ｃにおいては、ステータの第二ステータ部品１２０の上端に形成された環状溝部１８０の断面がテーパ状になっており、第一シール部材２１０が脱落するのを防止している。しかしながら、モータが小型である場合には、図１２Ｃに示されるように環状溝部１８０を精密に機械加工するのは極めて困難である。なお、図１２Ａから図１２Ｃを参照して説明した問題は、第二ステータ部品の他端および第一ステータ部品においても同様に起こりうる。
【０００７】
本発明はこのような事情に鑑みてなされたものであり、接着剤を使用することなしに、シール部材が容易に脱落するのを妨げられるステータおよびそのようなステータを含むモータを提供することを目的とする。
【課題を解決するための手段】
【０００８】
前述した目的を達成するために１番目の発明によれば、第一ステータ部品と、該第一ステータ部品に組付けられる第二ステータ部品と、前記第一ステータ部品と前記第二ステータ部品との間に挟まれる環状シール部材とを具備し、該環状シール部材には半径方向外側に延びる複数の突起が備えられており、前記第一ステータ部品および前記第二ステータ部品のうちの一方のみにおいて、前記環状シール部材に対応した溝部（１８）と、前記環状シール部材の前記複数の突起に対応した形状を有していて前記一方のステータ部品の半径方向外側において前記溝部に接続すると共に前記溝部の底部よりも深さ方向に延びる複数の凹部（１７）とが形成されており、前記複数の突起のそれぞれは、前記一方のステータ部品の半径方向外側に延びる部分と、該半径方向外側に延びる部分の一側のみにおいて前記複数の凹部のそれぞれの深さ方向に延びる部分とを含んでいる、ステータが提供される。
２番目の発明によれば、１番目の発明において、前記複数の凹部のそれぞれの寸法は前記環状シール部材の前記複数の突起のそれぞれの寸法よりも小さいようにした。
３番目の発明によれば、１番目または２番目の発明において、前記突起と前記環状シール部材との間の距離は、前記凹部と前記環状溝部との間の距離よりも短いようにした。
４番目の発明によれば、１番目から３番目のいずれかの発明において、隣接する二つの凹部に対応する前記溝部の長さと、隣接する二つの突起の間の前記環状シール部材の長さとが互いに異なるようにした。
５番目の発明によれば、１番目から４番目のいずれかの発明において、前記環状シール部材は、前記第一ステータ部品と前記第二ステータ部品との間で押潰されると共に前記溝部の二つの壁部の間で位置決めされるようにした。
６番目の発明によれば、１番目から５番目のいずれかのステータと、該ステータに係合するロータとを備えたモータが提供される。
【発明の効果】
【０００９】
１番目および６番目の発明においては、シール部材が溝部に挿入される共に、シール部材の突起が凹部に挿入されるので、シール部材を堅固に固定でき、シール部材がステータから容易に脱落するのを妨げられる。また、接着剤を使用する必要がないので、はみ出た接着剤を拭取る必要もない。さらに、既存のステータ部品の溝部に凹部を追加すれば、突起を備えた環状シール部材を適用することができる。
２番目から５番目の発明においては、環状シール部材および突起を溝部および凹部にそれぞれ堅固に嵌合させられる。
【００１０】
添付図面に示される本発明の典型的な実施形態の詳細な説明から、本発明のこれら目的、特徴および利点ならびに他の目的、特徴および利点がさらに明解になるであろう。
【図面の簡単な説明】
【００１１】
【図１】本発明に基づくモータの断面図である。
【図２】ステータの部分分解斜視図である。
【図３】第二ステータ部品の斜視図である。
【図４】第二ステータ部品の端面図である。
【図５】第二ステータ部品の部分断面図である。
【図６Ａ】突起の第一頂面図である。
【図６Ｂ】突起の第二頂面図である。
【図６Ｃ】突起の第三頂面図である。
【図７Ａ】突起の第一側面図である。
【図７Ｂ】突起の第二側面図である。
【図７Ｃ】突起の第三側面図である。
【図８Ａ】突起の拡大図である。
【図８Ｂ】第二ステータ部材の部分拡大図である。
【図９Ａ】第一シール部材の頂面図である。
【図９Ｂ】環状溝部の頂面図である。
【図１０】第一シール部材およびその周辺部の断面図である。
【図１１】従来技術におけるステータの分解斜視図である。
【図１２Ａ】従来技術におけるステータの第一の部分拡大断面図である。
【図１２Ｂ】従来技術におけるステータの第二の部分拡大断面図である。
【図１２Ｃ】従来技術におけるステータの第三の部分拡大断面図である。
【発明を実施するための形態】
【００１２】
以下、添付図面を参照して本発明の実施形態を説明する。以下の図面において同様の部材には同様の参照符号が付けられている。理解を容易にするために、これら図面は縮尺を適宜変更している。
図１は本発明に基づくモータの断面図である。図１に示されるように、モータ１はステータ１０と、ステータ１０に回転可能に支持されたロータ３０とを含んでいる。
【００１３】
ステータ１０は第一ステータ部品１１、第二ステータ部品１２および第一ステータ部品１１と第二ステータ部品１２との間に挟まれる第一シール部材２１、例えばＯリング、パッキン等を有している。また、ステータ１０の一端には、他の第二シール部材２２を介して検出器１５が取付けられている。図１から分かるように、第一ステータ部品１１、第二ステータ部品１２および検出器１５は互いに同軸に配置されている。
【００１４】
第二ステータ部品１２の内周面には第一軸受３５および第二軸受３６が配置されている。そして、ロータ３０を貫通する軸部３１が第一軸受３５および第二軸受３６により第二ステータ部品１２に回転可能に支持されている。さらに、第一ステータ部品１１の端部において軸部３１回りにはオイルシール３２が配置されている。
【００１５】
図２はステータの部分分解斜視図である。図１および図２から分かるように、第二ステータ部品１２の一端には、第二ステータ部品１２と同心の環状溝部１８が形成されている。第一シール部材２１は第二ステータ部品１２の環状溝部１８に少なくとも部分的に挿入され、次いで、第一ステータ部品１１が第二ステータ部品１２の一端を閉鎖する。これにより、第一シール部材２１は第一ステータ部品１１と第二ステータ部品１２との間に挟込まれる。
【００１６】
図１から分かるように、第二ステータ部品１２の他端には環状溝部１９が同様に形成されており、第二シール部材２２が環状溝部１９に少なくとも部分的に挿入される。次いで、検出器１５が第二ステータ部品１２の他端を閉鎖すると、第二シール部材２２は第二ステータ部品１２と検出器１５との間に挟込まれるようになる。
【００１７】
ところで、図２に示されるように、本発明の第一シール部材２１は環状の部材であり、半径方向外側に延びる複数の突起２５が設けられている。好ましくは、これら突起２５は第一シール部材２１と同一材料から形成されており、第一シール部材２１と複数の突起２５とは一体的に成形される。
【００１８】
さらに、第二ステータ部品１２の一端には、複数の凹部１７が形成されている。これら凹部１７は第一シール部材２１の複数の突起２５に対応した形状であり、これら突起２５に対応した位置に形成されている。そして、複数の凹部１７は環状溝部１８に接続している。
【００１９】
図３は第二ステータ部品の斜視図であり、図４は第二ステータ部品の端面図である。これら図面に示されるように、第一シール部材２１を第二ステータ部品１２の環状溝部１８に組付けると、第一シール部材２１の複数の突起２５は環状溝部１８の複数の凹部１７にそれぞれ少なくとも部分的に挿入されるようになる。
【００２０】
本発明においては複数の突起２５が複数の凹部１７にそれぞれ挿入されているので、第一シール部材２１は第二ステータ部品１２に堅固に保持されることとなる。ここで、図５は第二ステータ部品の部分断面図である。図５に示されるように、第一シール部材２１が取付けられた第二ステータ部品１２の一端を下方に向けたとしても、第一シール部材２１が第二ステータ部品１２から脱落することはない。その後、第一ステータ部品１１を第二ステータ部品１２の一端に取付け、第一シール部材２１を第一ステータ部品１１と第二ステータ部品１２との間に挟込む。
【００２１】
ところで、第二シール部材２２も第一シール部材２１と同様な複数の突起を備えており、環状溝部１９も凹部１７と同様な凹部を備えているものとする。そして、第二シール部材２２を環状溝部１９に同様に組付けた後で、検出器１５を第二ステータ部品１２の他端に取付ける。これにより、図１に示されるモータ１が作成される。
【００２２】
このように、本発明においては、第一シール部材２１および第二シール部材２２は第二ステータ部品１２から容易に脱落することはない。また、第一シール部材２１および第二シール部材２２を組付けるのに接着剤を使用する必要がないので、本発明では接着剤の塗布工程およびはみ出た接着剤の拭取工程を排除することができる。
【００２３】
また、凹部１７を既存の第二ステータ部品１２の端部に追加で加工することも可能である。従って、第一シール部材２１および第二シール部材２２を既存の第二ステータ部品１２に取付けることも可能である。さらに、環状溝部１８、１９および凹部１７は矩形断面を有すれば十分であり、加工が困難なテーパ状断面の環状溝部１８等を作成する必要がない。
【００２４】
前述した実施形態においては、第二ステータ部品１２の端面に環状溝部１８および関連する凹部が形成されている。しかしながら、環状溝部１８および関連する凹部が第一ステータ部品１１の端面に形成されていてもよい。あるいは、第一ステータ部品１１の端面および第二ステータ部品１２の端面の両方に環状溝部１８および関連する凹部が形成されていてもよい。検出器１５についても同様である。
【００２５】
さらに、複数の突起２５が半径方向内側に延びていてもよい。この場合には、凹部１７も複数の突起２５に従って形成される。
【００２６】
また、前述した実施形態においては第一シール部材２１の突起２５の断面は矩形である。しかしながら、突起の頂面図である図６Ａに示されるように突起２５の断面が長円形の一部であってもよい。なお、図６Ａに示される矢印は第二ステータ部品１２の半径方向外側を指している。
【００２７】
あるいは、図６Ａと同様な図である図６Ｂおよび図６Ｃに示されるように突起２５の先端の断面が円形および楕円形であってもよい。特に、図６Ｂおよび図６Ｃにおいては突起２５の先端が基端よりも大きいので、第一シール部材２１が第二ステータ部品１２から脱落するのを防止する効果が高い。なお、図６Ａ〜図６Ｃおよび後述する図面に示される場合において環状溝部１８の凹部１７は突起２５に対応した形状であるのは言うまでも無い。また、第二シール部材２２の突起についても同様である。
【００２８】
図７Ａ〜図７Ｃは突起の側面図である。これら図面に示される矢印は、第二ステータ部品１２の半径方向外側を指している。図７Ａに示される突起２５は第一シール部材２１から半径方向外側にのみ延びている。
【００２９】
しかしながら、図７Ｂに示される突起２５は第二ステータ部品１２の半径方向外側および凹部１７の深さ方向の両方に延びている。このため、図７Ｂおよび図７Ｃに示される構成は、図７Ａに示される構成よりも第一シール部材２１が第二ステータ部品１２から脱落するのを防止する効果が高いのが分かるだろう。なお、第二シール部材２２の突起についても同様である。
【００３０】
ところで、図８Ａは突起の拡大図であり、図８Ｂは第二ステータ部材の部分拡大図である。図８Ａおよび図８Ｂには、先端の断面が円形の突起２５が示されている。なお、これら図面に示される矢印は第二ステータ部品１２および第一シール部材２１の半径方向外側を指している。
【００３１】
図８Ａに示されるように突起２５の円形の先端の中心から第一シール部材２１までの距離Ｌ１は比較的短い。これに対し、第二ステータ部品１２に形成される凹部１７の中心から環状溝部１８までの距離Ｌ２は比較的長い。従って、第一シール部材２１を第二ステータ部品１２に取付けると、突起２５は半径方向外側に延びるようになる。これにより、第一シール部材２１を第二ステータ部品１２にさらに堅固に取付けられるのが分かるであろう。なお、第二シール部材２２の突起についても同様である。
【００３２】
図９Ａは第一シール部材の頂面図である。図９Ａにおいて、隣接する突起２５の間の第一シール部材２１に沿った距離をＬ３とする。さらに、図９Ｂは環状溝部の頂面図である。図９Ｂにおいて隣接する凹部１７の間の環状溝部１８に沿った距離をＬ４とする。これら距離Ｌ３、Ｌ４は互いにわずかながら異なり、Ｌ３＜Ｌ４であるのが好ましい。従って、第一シール部材２１を第二ステータ部品１２に取付けると、隣接する突起２５の間において第一シール部材２１が周方向に延びるようになる。これにより、第一シール部材２１を第二ステータ部品１２に堅固に取付けられるのが分かるであろう。なお、第二シール部材２２についても同様である。
【００３３】
さらに、図１０は第一シール部材およびその周辺部の断面図である。図１０においては、第一シール部材２１が第一ステータ部品１１と第二ステータ部品１２との間に挟込まれて押しつぶされている。さらに、第一シール部材２１は環状溝部１８を構成する二つの壁部の間に位置決めされている。このように、第一シール部材２１が押しつぶされているので、第一ステータ部品１１と第二ステータ部品１２との間のシール性をさらに高めると共に、第一シール部材２１を第二ステータ部品１２にさらに堅固に取付けられる。
【００３４】
典型的な実施形態を用いて本発明を説明したが、当業者であれば、本発明の範囲から逸脱することなしに、前述した変更および種々の他の変更、省略、追加を行うことができるのを理解できるであろう。
【符号の説明】
【００３５】
１    モータ
１０    ステータ
１１    第一ステータ部品
１２    第二ステータ部品
１５    検出器
１７    凹部
１８    環状溝部
１９    環状溝部
２１    第一シール部材
２２    第二シール部材
２５    突起
３０    ロータ
３１    軸部
３２    オイルシール
３５    第一軸受
３６    第二軸受
【図１】
0006502834.tif 000002
【図２】
0006502834.tif 000003
【図３】
0006502834.tif 000004
【図４】
0006502834.tif 000005
【図５】
0006502834.tif 000006
【図６Ａ】
0006502834.tif 000007
【図６Ｂ】
0006502834.tif 000008
【図６Ｃ】
0006502834.tif 000009
【図７Ａ】
0006502834.tif 000010
【図７Ｂ】
0006502834.tif 000011
【図７Ｃ】
0006502834.tif 000012
【図８Ａ】
0006502834.tif 000013
【図８Ｂ】
0006502834.tif 000014
【図９Ａ】
0006502834.tif 000015
【図９Ｂ】
0006502834.tif 000016
【図１０】
0006502834.tif 000017
【図１１】
0006502834.tif 000018
【図１２Ａ】
0006502834.tif 000019
【図１２Ｂ】
0006502834.tif 000020
【図１２Ｃ】
0006502834.tif 000021